(57)【要約】【課題】遊技機に設けられた複数の基板の着脱を容易にする。【解決手段】  第１基板４，第２基板５を複数の第１基板固定部８，第２基板固定部９の各々に固定するときには、第２基板５を第２基板固定部９に配置し、基板間係止爪１６、係止爪２０、固定爪２１，２２で係止し、第１基板４は、係止爪１４と固定爪１４ａ，１４ｂで係止した後、最後に、第１基板４をビス２３で固定することで、第１基板４，５が同時に固定される。取り外しの場合には、最初に、第１基板４からビス２３を取り外すことで、第１基板４，５が同時に固定解除される。第２基板５ではビスは使用しない。【選択図】        図７
2007068864.tif 000002
【特許請求の範囲】
【請求項１】
相互に隣接して配置する複数の基板固定部に、複数の基板を、それぞれ固定する構造を備える遊技機の基板固定ケースにおいて、
前記複数の基板のうちの１つの基板に貫通孔が形成されるとともに、該貫通孔に対応して、前記１つの基板を固定するための１つの基板固定部にビス孔部を設け、
前記隣接する基板固定部の間に基板間係止部を設け、
該基板間係止部を介して前記複数の基板が前記複数の基板固定部にそれぞれ係止された状態で、前記貫通孔を介してビスが前記ビス孔部にねじこまれることにより、前記複数の基板が前記基板固定部に固定され、該固定状態において前記ビスを前記ビス孔部から取り外すことにより、前記固定が解除されることを特徴とする遊技機の基板固定ケース。
【発明の詳細な説明】
【技術分野】
【０００１】
基板を固定する遊技機の基板固定ケースに関する。
【背景技術】
【０００２】
従来の遊技機においては、複数の基板を遊技機に固定する際には、基板毎に、ビス、又はビスと係止爪を用いて固定していた。特許文献１では、基板１２をビス１３aによって遊技機のシャーシ１３に取り付けたものが開示されている。
【特許文献１】特開２０００-０４２２３０
【発明の開示】
【発明が解決しようとする課題】
【０００３】
しかしながら、従来のように、複数の基板を遊技機に固定する際に、基板毎にビス、又はビスと係止爪を用いて固定する構成であると、遊技機に設けられた全ての基板を着脱するときに、基板毎にビスの着脱を行わねばならず、非常に手間がかかるものとなっていた。
【０００４】
本発明は上記点に鑑み、遊技機に設けられた複数の基板の着脱を容易にすることを目的とする。
【課題を解決するための手段】
【０００５】
上記目的を達成するため、請求項１に記載の遊技機の基板固定ケースは、相互に隣接して配置する複数の基板固定部に、複数の基板を、それぞれ固定する構造を備える遊技機の基板固定ケースにおいて、前記複数の基板のうちの１つの基板に貫通孔が形成されるとともに、該貫通孔に対応して、前記１つの基板を固定するための１つの基板固定部にビス孔部を設け、前記隣接する基板固定部の間に基板間係止部を設け、該基板間係止部を介して前記複数の基板が前記複数の基板固定部にそれぞれ係止された状態で、前記貫通孔を介してビスが前記ビス孔部にねじこまれることにより、前記複数の基板が前記基板固定部に同時に固定され、該固定状態において前記ビスを前記ビス孔部から取り外すことにより、前記複数の基板の固定が同時に解除されることを特徴とするものである。
【０００６】
請求項１に記載の遊技機の基板固定ケースによれば、基板を基板固定部に固定する場合には、複数の基板を複数の基板固定部に係止した状態で、前記ビス孔部に前記貫通孔を介してビスを螺合させることにより、複数の基板を同時に固定することができる。また、逆の手順により、複数の基板の固定を解除できる。つまり、最後にビスをねじ込むことで固定するか、又は、最初にビスをビス孔部から取り外して固定解除をするかの作業をするだけでよいので、ビスの利用を１つの基板に限定することができる。後の作業は複数の基板の複数の基板固定部への係止又は係止解除を取り扱うのみでよい。
【０００７】
ここでいう「基板」としては、例えば、中継基板、画像制御基板、効果音制御基板、電飾制御基板等が挙げられる。基板はカバーにより外側から覆うように収納してもよい。この「基板固定ケース」は基板を透視可能な構造とする為に透明色に構成することが好ましい。「基板間係止部」は、爪など、基板を係止できる構造であれば、その構造は限定されるものではない。
【０００８】
前記基板間係止部により、基板の動きが規制されることも１つの特徴である。即ち、ビスにより複数の基板がそれぞれ複数の基板固定部に固定された状態で、各基板を取り外そうとしても、基板が基板間係止部に当って他の基板の動きを阻止することにより、その基板を取り外すことができないので、固定が確実になっている。つまり、１つの基板のビスにより、他の基板の固定も確保されるわけである。
【０００９】
なお、基板間係止部は、隣接して配置された基板固定部の間に複数設けても良いし、一つだけ設けても良い。例えば、基板固定ケースに３つ以上の基板固定部を設ける構成であって、且つ隣接する基板固定部の間に一つの基板間係止部を設ける構成においては、基板固定ケースに基板間係止部が２つ以上設けられることになることが好ましい。また、基板間係止部は、前記隣接する基板固定部の間に形成され、片側の基板を固定しても良いし、両側の基板を固定してもよい。基板間係止部がその片側の基板を固定する場合、他の基板を係止するときには、基板間係止部が邪魔にならず作業が容易である。
【発明の効果】
【００１０】
請求項１の発明によれば、複数の基板をそれぞれ複数の基板固定部に係止した状態で、ビスにより１つの基板を１つの基板固定部に固定するだけで、複数の基板の固定が同時に確保できる。これにより、基板毎にビス等で固定する必要がなく、ビスでの取付作業が１つの基板に集約化できる。
【００１１】
また、取り外しに関しても同様に、最初にビスを取り外するだけで、複数の基板の固定を同時に解除でき、後は、基板の係止を解除するだけで、複数の基板を簡単に取り外すことができる。これにより、基板毎にビス等で固定解除をする必要がなく、ビスでの取外作業が１つの基板に集約化できる。
【００１２】
本発明において、１つの基板以外の基板にビスの取り付けをしないが、その基板を取り外そうとしても、１つの基板が基板間係止部を介して他の基板の動きを阻止するので、他の基板が容易に外れることがない。
【発明を実施するための最良の形態】
【００１３】
以下に、本発明の好適な実施形態に係る基板固定ケース１について図面を参照して説明する。基板固定ケース１は、点線で示すようにカバー２で被覆してもよい。実施形態では、遊技機としてパチンコ機３を例にとって説明する。
【００１４】
図１を用いてパチンコ機３の裏面について説明する。パチンコ機３の裏面には、基板固定ケース１が設けられており、この基板固定ケース１内には、同一面上に隣接して配置される２つの基板である第１基板４及び第２基板５が収容されている。基板固定ケース１は、透明色のプラスチック製で構成され、パチンコ機３の外部から基板固定ケース１内部を点検することが可能となっている。パチンコ機３裏面には、上記した基板固定ケース１以外に、電源基板６、主制御基板７等が設けられている。電源基板６は各種基板への電源供給を行う基板であり、主制御基板７は、サブ制御基板(図示せず)の制御を行う基板である。尚、基板固定ケース１に固定される基板は、本実施形態では、第１基板４及び５であるが、基板固定ケース１内に収容される基板の数は限定されるものではない。第２基板固定部に隣接する位置に第３基板固定部を設け、この第３基板固定部に第３基板を固定してもよい。
【００１５】
図２に示す通り、第１基板４には、他の基板等と接続する為の各種コネクタ４ａと、貫通孔４ｂが設けられている。同様に、第２基板５にも各種コネクタ５ａが設けられている。基板固定ケース１には、第１基板固定部８及び第２基板固定部９が設けられている。第１基板固定部８には第１基板４を固定し、第２基板固定部９には第２基板５を固定するようになっている。
【００１６】
第１基板固定部８には、固定される第１基板４を包囲するように後方に対して立設された板状の周壁１０と、周壁１０を切り欠くように設けた間隙１１と、周壁１０より低く設定されて内部領域に配置され第１基板４を支持する支持部１２と、第１基板４の貫通孔４ｂに対応する位置に設けたビス孔部１３と、前記周壁１０に形成され爪が内側に形成されて第１基板４の辺に対して直交する方向に弾性変形する係止爪１４と、周壁１０から内側に向かって爪が延び出し第１基板４を係止する固定爪１４ａ及び１４ｂと、を備えている。
【００１７】
同様に、第２基板固定部９には、第１基板固定部８と第２基板固定部９の間に位置する周壁１５（仕切壁）に形成され、爪が第２基板固定部９側に突出するように形成されて、第１基板４及び５の辺に対して直交する方向に横方向（左右方向）に弾性変形する基板間係止爪１６と、固定されるべき第２基板５を包囲するように立設された板状の周壁１７と、周壁１７を切り欠くように設けた間隙１８、周壁１０より低く設定されて内部領域に配置され第２基板５を支持する支持部１９、前記周壁１７に形成され爪が内側に形成されて第２基板５の辺に対して直交する方向に横方向（左右方向）に弾性変形する係止爪２０と、周壁１７から内側に延び出して第２基板５の辺を係止する固定爪２１及び２２とを備えている。なお、第１基板固定部８と第２基板固定部９はプラスチックで一体成形されている。
【００１８】
第１基板４は、支持部１２、係止爪１４、固定爪１４ａ及び固定爪１４ｂによる係止とともにビス２３が貫通孔４ｂを介してビス孔部１３に螺合されることで第１基板固定部８に固定されるようになっている。第２基板５は、支持部１９、基板間係止爪１６、係止爪２０、固定爪２１及び２２により、第２基板固定部９に固定されるようになっている。図３は、基板固定ケース１の第１基板固定部８、９に第１基板４、第２基板５が各々固定された状態を示した図である。
【００１９】
第１基板４、第２基板５を基板固定ケース１から取り外す際の手順について説明する。本実施形態において、パチンコ機３の遊技を遊技者が行っているときには、無論、基板固定ケース１には、第１基板４、第２基板５が固定された状態になっている。しかし、パチンコ機３を新しい機種に入れ替える場合、第１基板４又は第２基板５に故障の疑いがあり交換する場合等には、基板固定ケース１の第１基板固定部８、第１基板固定部９から第１基板４、第２基板５を取り外す必要が生じる。図４は、第１基板４を基板固定ケース１の第１基板固定部８から取り外すときの説明図である。図５は、図４により第１基板４を基板固定ケース１の第１基板固定部８から取り外した後、第２基板５を基板固定ケース１の第２基板固定部９から取り外すときの説明図である。第１基板４を交換する場合には、ビス２３を取り外すだけで、第１基板４を交換するだけでよい。第２基板５を交換する場合には、先に第１基板４を取り外してから、その後、第２基板５を取り外す。
【００２０】
本実施形態において、第１基板４、第２基板５の取り外しを行う場合には、図４に示すように、先ず、ビス２３を取り外してから、係止爪１４に矢印a方向に向かって力を加えて弾性変形させ、係止爪１４の位置を第１基板４を取り外すことができる位置に移動させることによって、第１基板４を第１基板固定部８から取り外す。このとき、基板間係止爪１６の爪は第１基板固定部８側には突出していないので、取り外しの障害にはならず、取り外しが容易である。
【００２１】
第１基板４を取り外した後、図５に示すように、第１基板４と隣接して配置される第２基板５を取り外す。係止爪２０及び基板間係止爪１６に矢印ｂ方向に向かって力を加え、係止爪２０及び基板間係止爪１６の位置を第２基板５を取り外すことができる位置に移動させることによって、第２基板５を第２基板固定部９から取り外す。
【００２２】
なお、第１基板４より先に第２基板５を取り外そうとしても、不可能である。基板間係止爪１６に矢印ｂ方向に向かって力を加え、基板間係止爪１６の位置を第２基板５を取り外すことができる位置に移動させようとしても、基板間係止爪１６の矢印ｂ方向の位置には、第１基板４が設けられているので、基板間係止爪１６の位置を第２基板５を取り外すことができる位置に移動することができず、その結果、第２基板５を先に取り外すことができないのである。その為、第１基板４を先に取り外してから、基板間係止爪１６に対して矢印ｂ方向に力を加え、基板間係止爪１６の位置を第２基板５を取り外すことができる位置に移動させてから、第２基板５を取り外す必要が生じるのである。
【００２３】
次に、第１基板４、第２基板５を基板固定ケース１に固定する際の手順を説明する。図６は、第２基板５を第２基板固定部９に固定する際の説明図であり、図７は、図６により第２基板５を基板固定ケース１の第２基板固定部９に固定した後、第１基板４を基板固定ケース１の第１基板固定部８に固定する際の説明図である。第１基板４、第２基板５を第１基板固定部８、第２基板固定部９に固定するときには、先に第２基板５を係止してから、その後、第１基板４を係止した後、最後にビス２３により固定する。
【００２４】
まず、図６に示すように、基板間係止爪１６及び係止爪２０に対して矢印ｆ方向に向かって力を加えることによって、第２基板５を第２基板固定部９に固定することができる位置に配置できるように、係止爪２０及び基板間係止爪１６の位置を弾性変形により移動させてから、第２基板５の辺を固定爪２１及び２２の下側に差込み、支持部１９上に配置してから、基板間係止爪１６及び係止爪２０へ力を加えることを止めると、その弾性力により基板間係止爪１６及び係止爪２０が元の位置に復帰し、第２基板５が第２基板固定部９に係止される。
【００２５】
次に、図７に示すように、係止爪１４に矢印ｇ方向に向かって力を加えることによって、第１基板４を第１基板固定部８に係止することができる位置まで係止爪１４の位置を弾性変形により移動させてから、第１基板４の辺を固定爪１４ａ及び１４ｂの下側に差込み、支持部１２の上に配置してから、係止爪１４へ力を加えることを止めると、その弾性力により基板間係止爪１４が元の位置に復帰し、第１基板４が第１基板固定部８に係止される。次にビス２３を貫通孔４ｂを介してビス孔部１３に取り付けることにより、第１基板４を第１基板固定部８に、第２基板５を第２基板固定部９に完全に固定することが出来る。
【００２６】
このとき、第２基板５より先に第１基板４を固定し、その後に第２基板５を固定しようとしても不可能である。第１基板４を第１基板固定部８に固定してから、第２基板５を第２基板固定部９に固定するときには、基板間係止爪１６に対して矢印ｆ方向に向かって力を加え、第２基板５を第２基板固定部９に固定することができる位置に、基板間係止爪１６の位置を移動させる必要があるが、基板間係止爪１６に矢印ｆ方向に向かって力を加えても、基板間係止爪１６の矢印ｆ方向の位置には、第１基板４が既に係止されているので、基板間係止爪１６の位置を第２基板５を係止することができる位置に移動させることができないのである。その為、第２基板５を先に第２基板固定部９に係止し、その後、第１基板４を第１基板固定部８に固定する必要が生じるのである。
【００２７】
以上説明した本実施形態によれば、基板４，５の固定に関し、係止爪２０と基板間係止爪１６を、第２基板５に取り付けることができる位置に移動させるだけで、第２基板固定部９に第２基板５を係止し、係止爪１４を、第１基板４を取り付けることができる位置に移動させるだけで、第１基板４を第１基板固定部８に係止し、その後、最後に、第１基板４のビス２３を取り付けることができる。これにより、基板４，５の係止の作業後、最後にビスを基板４に取り付けることで、全ての基板４，５を同時に固定でき、ビスでの取付作業が第１基板４に集約化できる。したがって、基板毎にビス２３を取り付ける必要がなく、基板４，５の取付作業が効率化できる。
基板４，５の取り外しに関しても同様に、最初に、第１基板４のビス２３を取り外し、係止爪１４を、第１基板４を取り外すことができる位置に移動させるだけで、第１基板４を第１基板固定部８から取り外し、その後、係止爪２０と基板間係止爪１６を、第２基板５を取り外すことができる位置に移動させるだけで、第２基板固定部９から第２基板５を容易に取り外すことができる。これにより、最初にビスを取り外して基板４の固定を解除するだけで基板４，５を同時に固定解除でき、後は、基板４，５の係止を解除するだけでよく、ビスでの取外作業が第１基板４に集約化できる。したがって、基板毎にビスで固定解除をする必要がなく、基板４，５の取外作業を効率化できる。
これは、第１基板固定部８，９以外の基板固定部が何個ある構成であろうと、また、係止される基板が何枚ある構成であろうと、変わることはない。
【００２８】
尚、本発明の実施の形態は、下記の実施形態に何ら限定されるものではなく、本発明の技術的範囲に属する限り種々の形態を採り得ることは無論である。例えば、固定すべき基板が３枚以上で基板固定部も３個以上の構成でもよい。この場合で、第１基板固定部８に隣接する基板固定部が１つで、その基板固定部に他の基板固定部が隣接する場合（第１基板固定部８に対して直列的な配置の場合）、第１基板固定部８に係止される第１基板４から最も離れた基板から係止する必要がある場合がある。先に第１基板４から最も離れた基板を基板固定部に係止してから、その次に第１基板４と隣接する中間基板を基板固定部に順次に係止することが好ましい。仮に、最初に中間基板を基板固定部に係止した後で、第１基板４から最も離れた基板を基板固定部に係止しようとする場合には、中間基板が基板間係止爪の動きを規制することが原因で、第１基板４から最も離れた基板を係止することができないからである。同様の理由で、基板の取り外しを行うときには、最初に第１基板４を取り外しから、その後、第１基板４から最も近い基板から順次に隣接する基板を順次に取り外す必要がある。しかし、固定すべき基板が３枚以上ある場合で、且つ、第１基板固定部８に隣接する基板固定部が２つ以上ある場合で、その２つ以上ある基板固定部同士が隣接しない場合（第１基板固定部８に対して並列的な配置の場合）、前記のような取り外しに順序制限はない。さらに、基板間係止爪１６は第２基板５を係止するが、第１基板４を係止するようにしてもよい。この場合、係止爪を追加して、第２基板の固定を確実にすることが好ましい。基板間係止爪１６が第１基板４及び第２基板５の両方を係止するようにしてもよい。例えば、基板間係止爪１６は鏃状の係止部である。
【図面の簡単な説明】
【００２９】
【図１】本発明実施形態におけるパチンコ機３の裏面図である。
【図２】同基板固定ケース１内の分解斜視図である。
【図３】同基板固定ケース１の第１基板固定部８、９に第１基板４、第２基板５が各々固定された状態を示す図である。
【図４】同第１基板４を基板固定ケース１の第１基板固定部８から取り外すときの説明図である。
【図５】同第２基板５を基板固定ケース１の第２基板固定部９から取り外すときの説明図である。
【図６】同第２基板５を基板固定ケース１の第２基板固定部９に固定するときの説明図である。
【図７】同第１基板４を基板固定ケース１の第１基板固定部８に固定するときの説明図である。
【符号の説明】
【００３０】
１・・・  基板固定ケース  ３・・・  パチンコ機  ４ｂ・・・  貫通孔
４・・・  第１基板（請求項１の「１つの基板」）  ５・・・第２基板
８・・・  第１基板固定部（請求項１の「１つの基板固定部」）
９・・・  第２基板固定部    １３・・・ビス孔部  １４，２０・・・  係止爪
１６・・・基板間係止爪（請求項１の「基板間係止部」）  ２３・・・ビス
【図１】
2007068864.tif 000003
【図２】
2007068864.tif 000004
【図３】
2007068864.tif 000005
【図４】
2007068864.tif 000006
【図５】
2007068864.tif 000007
【図６】
2007068864.tif 000008
【図７】
2007068864.tif 000009